(57)【要約】【課題】外へ取りに行かなくても部屋の中から燃料となる薪の取り出しと使用済みの燃焼灰の処理が容易、かつ、迅速に行なえるようにする。【解決手段】薪ストーブ又は暖炉３を備えた部屋５の躯体壁７に上下に仕切られた薪置き場として使用する上方の収納室９と、燃焼灰の一時仮置き場として使用する下方の収納室１１とを設ける。前記上方の収納室９は、少なくとも室内側は開放され、屋外となる外側に開閉扉１９を備え、外から運び込まれた薪１５を室内から取れるようにする。下方の収納室１１は、室内側と外側の両方にそれぞれ開閉扉２１，２３を備え、室内から捨てた燃焼灰を外から処分できるようにする。【選択図】図１
2009197475.tif 000002
【特許請求の範囲】
【請求項１】
薪ストーブ又は暖炉を備えた部屋の躯体壁に上下に仕切られた薪置き場として使用する上方の収納室と、燃焼灰の一時仮置き場として使用する下方の収納室とを有し、
前記上方の収納室は、少なくとも室内側は開放され、屋外となる外側に開閉扉を備える一方、下方の収納室は、室内側と外側の両方にそれぞれ開閉扉を備えるようにすることを特徴とする家屋用収納構造。
【発明の詳細な説明】
【技術分野】
【０００１】
本発明は薪ストーブ又は暖炉を備えた部屋に適する家屋用収納構造に関する。
【背景技術】
【０００２】
一般に冷寒地等にあっては、例えば、暖房手段として薪を燃料として使用する薪ストーブ又は暖炉が設けられた部屋を有している。
【０００３】
燃料となる薪は、寒くなる前に予めストック置き場にストックしておき、必要に応じてストック置き場から所定の本数だけ小だしに持ち出して使用するようになっている。
【発明の開示】
【発明が解決しようとする課題】
【０００４】
燃料となる薪は、なくなると外のストック置き場まで取りに行かなくてはならない。特に寒冷地の夜は寒く、外に出るのがおっくうになることと、積雪がある時はその雪の影響で外へ取りにいくのが大変面倒となる。
【０００５】
また、燃料となる薪を取りに行った時には、多めに持ってきて、例えば、暖炉の近くに仮置きするのが一般的であるが、見栄えの面で望ましくない。しかも、暖炉の所まで薪を運び入れる時に、時として薪の表面に付いている木屑やゴミ等が落ちて部屋を汚す等の問題を招く。
【０００６】
一方、暖炉の使用後は燃料灰が溜まるために定期的に取り除く必要があるが、一般には専用の掃除器具があるわけではないため、燃焼灰をバケツに入れたり、チリ取りに入れて外へ運び出す際に部屋の中に灰を落とす等の問題があった。
【０００７】
そこで、本発明にあっては外へ取りに行かなくても部屋の中から燃料となる薪を手に取ることができると共に使用済みの燃料灰の処理が容易、かつ、迅速に行なえるようにすることを目的とする。
【課題を解決するための手段】
【０００８】
前記目的を達成するために、本発明にあっては、薪ストーブ又は暖炉を備えた部屋の躯体壁に上下に仕切られた薪置き場として使用する上方の収納室と、燃焼灰の一時仮置き場として使用する下方の収納室とを有し、前記上方の収納室は、少なくとも室内側は開放され、屋外となる外側に開閉扉を備える一方、下方の収納室は、室内側と外側の両方にそれぞれ開閉扉を備えるようにすることを特徴とする。
【発明の効果】
【０００９】
本発明によれば、上方の収納室が部屋の薪置き場となるため、外側の開閉扉を利用することで、日中の間に燃料となる薪を外から容易にストックしておくことができる。また、例えば、暖炉に薪がなくなった際には、外へ取りに行かなくても部屋の中から薪を容易に手に取ることができる。したがって、部屋を汚すことがなくなると共に、しかも、専用の収納室に薪を並べてストックすることができるため見栄えの面でも大変好ましいものとなる。
【００１０】
一方、使用済みの燃焼灰にあっては室内用の開閉扉を利用することで下方の収納室内へ容易に捨てることができる。この時、外まで運び出す必要がなくなるため部屋の中を灰で汚すことがなくなると共に、一定量溜まった灰は外側用の開閉扉の利用によって外から迅速に処理することができる。
【発明を実施するための最良の形態】
【００１１】
以下、図１乃至図４の図面を参照しながら本発明の一実施形態について具体的に説明する。
【００１２】
図１は本発明にかかる家屋用収納構造を示した概要切断側面図、図２は本発明にかかる家屋用収納構造を暖炉のある部屋からみた概要斜視図をそれぞれ示している。
【００１３】
家屋用収納構造１は、例えば、暖炉３のある部屋５の躯体壁７に上下に仕切られた上方の収納室９と下方の収納室１１とで構成され、暖炉３に近い配置構造となっている。
【００１４】
上方の収納室９は、薪置き場として使用する所で、所定の長さに切断された薪１５を屋外となる外１７から積み重ねて置けるようになっている。
【００１５】
上方の収納室９の室内側は開放され、積み重ねられた薪１５を室内から直接手で取れるようになっている。
【００１６】
積み重ねられた薪１５の端面は図３に示すように室内から直接見えるようにすることで、薪１５の木肌をデザインの一部としてとらえた手段となっている。
【００１７】
この場合、収納室９の形状を四角ではなく、例えば、図４に示す如くデザインを重視したアーチ状の形状とする等の手段を用いることも可能である。また、図示していないが収納室９を開放せずに化粧板で作られた開閉扉を室内側に設けるようにすることも可能である。
【００１８】
上方の収納室９の屋外となる外１７側には、例えば右側のヒンジ（図示していない）を支点として片開きする開閉可能な開閉扉１９が設けられている。
【００１９】
開閉扉１９は、所定の厚みを備えた断熱材で作られ、全閉時には室内への外気の侵入を阻止すると共に、全開時には例えば、ストック置き場から運んだ薪１５を外１７から収納室９内へ積み重ねることが可能となっている。
【００２０】
一方、下方の収納室１１は、使用済みの燃焼灰を一時溜めておく仮置き場として使用する所で、室内から捨てられた燃焼灰を屋外となる外１７から処理することが可能となっている。
【００２１】
具体的には、下方の収納室１１の内側に室内用の開閉扉２１が、外側に外側用の開閉扉２３を有している。
【００２２】
室内用の開閉扉２１は、下方のヒンジＰを支点として図１、二点鎖線で示す如く上方が開くようになっている。この場合、室内用の開閉扉２１の表面は装飾面となっていることが望ましい。
【００２３】
室内用の開閉扉２１の内側には灰ストックボックス２５が配置され、灰ストックボックス２５の下部は引き出し部２７となっている。
【００２４】
引き出し部２７は取手２９を持って手前へ引き出すことで屋外となる外の、例えば、ウッドデッキ３１へ二点鎖線で示す如く取り出し可能となっている。
【００２５】
外側用の開閉扉２３は、例えば、右側のヒンジ（図示していない）を支点として片開きする構造となっている。
【００２６】
外側用の開閉扉２３は、所定の厚みを備えた断熱材で作られ、全閉時には外気の侵入を阻止するようになっている。
【００２７】
このように構成された収納構造１によれば、上方の収納室９の開閉扉１９を開けることで、収納室９内に燃料となる薪１５を外１７から一定の量だけ容易にストックしておけるようになる。
【００２８】
したがって、作業完了後、開閉扉１９を閉めることで外気が内部へ侵入することはない。しかも、部屋に入らないため汚すこともない。また、収納室９の薪１５は室内から容易に手に取ることができる。
【００２９】
一方、使用済みの燃焼灰にあっては、室内用の開閉扉２１を開けることで、外へ運び出すことなく容易に灰ストックボックス２５内へ捨てることができる。
【００３０】
一定量溜まった燃焼灰は、外側用の開閉扉２３を開けることで、取手２９を持って引き出し部２７を引き出せば、外１７から燃焼灰の処理を容易、かつ、迅速に行なえるようになる。処理完了後は引き出し部２７を元へ戻し、開閉扉２３を閉めることで部屋内を汚すことなく処理作業は迅速に完了する。
【００３１】
なお、本発明にあっては暖炉のある部屋について説明したが、薪ストーブのある部屋に収納構造を設けることも可能である。
【図面の簡単な説明】
【００３２】
【図１】本発明にかかる家屋用収納構造を示した概要切断面図。
【図２】暖炉のある部屋の躯体壁に収納構造を設けた概要斜視図。
【図３】収納構造部分を拡大して示した概要斜視図。
【図４】上方の収納室をアーチ形状とした変形例を示した図３と同様の概要斜視図。
【符号の説明】
【００３３】
３    暖炉
５    部屋
７    躯体壁
９    上方の収納室
１１    下方の収納室
１５    薪
１７    外（屋外）
１９    上方の収納室の開閉扉
２１    下方の収納室の室内用となる開閉扉
２３    下方の収納室の外側用となる開閉扉
【図１】
2009197475.tif 000003
【図２】
2009197475.tif 000004
【図３】
2009197475.tif 000005
【図４】
2009197475.tif 000006